(57)【要約】【目的】  通常の撮影時におけるレンズフードの役割を兼ねながらマクロ撮影時の被写体照明が可能であって、照明の電源はカメラの電源と共有にして簡略化した照明システムを提供する。【構成】  撮影レンズの先端に装着可能なレンズフード機能を有する円筒部材であって、当該円筒部材の先端に複数の白色発光ダイオードを埋設してなる環状光源を有する照明装置において、前記撮影レンズ３に装着することによって、前記白色発光ダイオード８を点灯するための電力供給をカメラ６の内蔵電池７より受けることを可能とし、また、前記撮影レンズ３の先端にはカメラ６に内蔵する電池７のレンズ側接触端子１５，１６を有し、前記照明装置には当該先端に装着することによって、前記レンズ側接触端子１５，１６に接触可能となるフード側接触端子１７，１８を設けた。【選択図】図１
2006292794.tif 000002
【特許請求の範囲】
【請求項１】
撮影レンズの先端に装着可能なレンズフード機能を有する円筒部材であって、当該円筒部材の先端に複数の白色発光ダイオードを埋設してなる環状光源を有する照明装置において、前記撮影レンズに装着することによって、前記白色発光ダイオードを点灯するための電力供給をカメラの内蔵電池より受けることが可能になることを特徴とするカメラの照明システム。
【請求項２】
前記撮影レンズの先端にはカメラに内蔵する電池の電力供給端子を有し、前記照明装置には当該先端に装着することによって、前記電力供給端子に接触可能となる接触端子を有することを特徴とする請求項１記載のカメラの照明システム。
【発明の詳細な説明】
【技術分野】
【０００１】
本発明はカメラの撮影用照明装置に関し、特にレンズ先端に装着可能なレンズフードを兼用にしたカメラの照明システムに関する。
【背景技術】
【０００２】
最近青色発光ダイオードの発明により可視領域で広い波長を持つ白色発光ダイオードが製品化され、これを用いた液晶表示のバックライト照明や懐中電灯等で実用化されてきている。この発光ダイオードは従来の照明に用いていた白熱電球に比べ電流が少なく発光効率が高いことから白熱電球に代わる光源として注目されている。
【０００３】
このような情勢に鑑みカメラ撮影時の被写体の照明用に適応させる提案が特開２００３−４３５６７号公報などで見受けられるようになってきている。
【０００４】
また、従来から接写用光源としてはカメラに装着する光源では被写体に対してパララックスが生じるため、接写レンズの前方に装着可能で、環状のキセノン管を用いたリングストロボが製品化されていて、特開２００３−９１０４４号公報のように接写用ストロボとして専用化した照明装置がある。
【特許文献１】特開２００３−４３５６７号公報
【特許文献２】特開２００３−９１０４４号公報
【発明の開示】
【発明が解決しようとする課題】
【０００５】
しかしながら、上記特開２００３−４３５６７号公報に提案の方法においては一般撮影の照明用としては大きいパワーが必要で、供給電源を含め概して大型化する傾向にある。一般撮影の照明には従来からの大きい発光光源が得られるストロボ発光装置を用いるのが一般的である。
【０００６】
また、上記特開２００３−９１０４４号公報の照明装置においては、大きい光量が得られる長所はあるものの大型となり、手軽に撮影できるものでは無かった。特にストロボ光は瞬時のパルス発光であって、照明された被写体像をファインダー内で視認できない欠点を有している。
【０００７】
前記課題を解決するために、ここに提案する本発明は近接撮影が可能なカメラ、特にレンズ交換可能な一眼レフカメラの付属品用としてマクロ撮影レンズに対する簡易照明装置であり、発光効率を高めた光源によって撮影に必要な時間の点灯を可能にし、接写する被写体に対して全方向からムラ無く照明が可能であると共に必要最小限の小型化によって手軽に撮影レンズに装着できるマクロ用照明装置であると共に当該装置の電源をカメラの電源と共有にして簡略化した照明システムを提供する。
【課題を解決するための手段】
【０００８】
本発明のカメラの照明システムにおいては、撮影レンズの先端に装着可能なレンズフード機能を有する円筒部材であって、当該円筒部材の先端に複数の白色発光ダイオードを埋設してなる環状光源を有する照明装置において、前記撮影レンズに装着することによって、前記白色発光ダイオードを点灯するための電力供給をカメラの内蔵電池より受けることが可能になることを特徴とするものである。
【０００９】
また、前記撮影レンズの先端にはカメラに内蔵する電池の電力供給端子を有し、前記照明装置には当該先端に装着することによって、前記電力供給端子に接触可能となる接触端子を有する。
【発明の効果】
【００１０】
本発明は、撮影レンズの先端に装着可能なレンズフード機能を有する円筒部材であって、当該円筒部材の先端に複数の白色発光ダイオードを埋設してなる環状光源を有する照明装置において、前記撮影レンズに装着することによって、前記白色発光ダイオードを点灯するための電力供給をカメラの内蔵電池より受けることを可能とし、また、前記撮影レンズの先端にはカメラに内蔵する電池の電力供給端子を有し、前記照明装置には当該先端に装着することによって、前記電力供給端子に接触可能となる接触端子を設けたので、通常の撮影時におけるレンズフードの役割を兼ねながらマクロ撮影時の被写体照明が可能であって、照明の電源はカメラから供給されるため本発明装置に電池を搭載する必要がなくなり、カメラシステム全体が軽量化される上に能率の良い撮影が可能となる。
【発明を実施するための最良の形態】
【００１１】
以下、図面等を参照して本発明の最も良好な実施形態を説明する。
【００１２】
図１は、本発明装置を撮影レンズ先端に装着した状態の斜視図であって、図２はカメラ本体とその撮影レンズに装着した本発明装置の接続回路の様子を表した概略断面図と構成ブロック図である。図３は本発明装置と撮影レンズの接触端子を表す見取り図である。
【００１３】
図２において、撮影レンズ３は光軸１を中心にして対物レンズ２を含む複数のレンズ群を支持した複数の鏡筒で構成されていて、これら鏡筒の内でズーミング或いはフォーカシング時前方に伸長し、被写体光以外の光線に対して遮光を必要とする撮影レンズ３の鏡筒先端に対してネジ式或いはバヨッネット式又は、単なる被せ式等でレンズフードが装着できるようになっている。
【００１４】
本発明の実施例では撮影レンズ３の鏡筒先端は図３に示すように先端部３ｃと円周上で複数に分割成形された先端の隆起縁３ｄの間に先端溝３ｅが形成されていて、レンズフードの後部端が同じピッチで円周上に複数分割成形されて、内側に隆起した縁（図３の隆起縁４ａ）を撮影レンズ３の先端溝３ｅに嵌め込んで捻ることにより、噛合して装着するバヨネット方式の例を示している。このように本案は従来のレンズフードと同じ装着機構を共通として、撮影レンズ３の先端に装着して用いる照明装置とそのシステムを提供するものである。
【００１５】
図１及び図３に示すようにレンズフード効果のある円筒部材４を筐体とした装置で、円筒部材４は一般のレンズフードの形状を成し、右の後端部は内側に隆起縁４ａを形成していて、撮影レンズ３の先端溝３ｅに嵌め込み、右方向捻りで隆起縁４ａと撮影レンズ３の先端の隆起縁３ｄが噛合することにより装着でき、逆方向の捻りで噛合が解けて離脱できる機構となっている。
【００１６】
一方、円筒部材４の左側先端部は図２及び図３で示すように環状の先端開口部４ｂの内側空間４ｃには複数の白色発光ダイオード８を並列に結線されるべく環状に植設した配線基盤１０が挿設されている。図１で示されているようにこの配線基盤１０によって接続された複数の白色発光ダイオード８が円筒部材４の環状の先端開口部４ｂに環状の列を成して埋設した恰好となる。
【００１７】
さらに円筒部材４の内側空間４ｃに埋設した複数の白色発光ダイオード８の前面を覆うように環状の先端開口部４ｂに環状の光線透過板９が嵌入されていて、円筒部材４の内側空間４ｃを環状の光線透過板９で封止した状態にしている。
【００１８】
また、レンズ交換可能な一眼レフカメラでは図２に示すように撮影動作のための電池７がカメラ６に内蔵されていて、撮影レンズ３側にも電力供給が可能なシステムとなっている。これはカメラ６側のマウント６ａに撮影レンズ３のマウント３ａを結合させることによって、カメラ６に対して撮影レンズ３が装着でき、結合を解くことによって撮影レンズ３が離脱できるシステムで、撮影レンズ３を装着することにより、カメラ側接点１１及び１２がレンズ側接点１３及び１４と接触し、これを通しカメラ６の電池７から撮影レンズ３に搭載されているレンズＣＰＵ１９に電力供給ができるようになっていて、ドライバー２０から撮影レンズ３のＡＦ動作や絞り動作を可能にしている。
【００１９】
円筒部材４が装着可能な撮影レンズ３にはレンズ側接点１３及び１４のほか、図３に示すように撮影レンズ３の先端溝３ｅにレンズ側接触端子１５及び１６が設置されていてレンズ側接点１３及び１４と結線されている。このため撮影レンズ３の先端溝３ｅのレンズ側接触端子１５及び１６からカメラ６の電池７の電力を取り出すことができるようになっている。
【００２０】
円筒部材４の後端の隆起縁４ａには内側に向けてフード側接触端子１７及び１８が設置されていて、撮影レンズ３の先端に円筒部材４を装着すべく隆起縁４ａを先端溝３ｅに嵌め、円筒部材４の後端の隆起縁４ａと撮影レンズ３の先端の隆起縁３ｄを噛合させると、撮影レンズ３の先端溝３ｅのレンズ側接触端子１５は円筒部材４の後端の隆起縁４ａのフード側接触端子１７と、また同じく撮影レンズ３の先端溝３ｅのレンズ側接触端子１６は円筒部材４の後端の隆起縁４ａのフード側接触端子１８と接触するようになっている。
【００２１】
また、円筒部材４にはフード側接触端子１７及び１８と、配線基盤１０を含む白色発光ダイオード８とＯＮ、ＯＦＦ切り替え操作を行うスイッチ５が搭載されていて、図２に示すような回路で結線されている。
【００２２】
このため、カメラ６に撮影レンズ３を装着し、さらに撮影レンズ３の先端に円筒部材４を装着すればカメラ６の内蔵電池７から白色発光ダイオード８へ電力が供給でき、スイッチ５のＯＮで点灯、ＯＦＦで消灯の操作が容易に可能となる。特にマクロ撮影などの照明に用いた場合、照明光の当たった被写体像をファインダーで視認しながら撮影できるメリットが生じる。本照明装置により光軸１上に在る被写体に対して有害光線を遮断しながら、記録に必要な部分の照明ができ、特にマクロ撮影が可能な撮影レンズではマクロ撮影時の照明に威力を発揮する。
【００２３】
本発明における照明装置は通常持ち歩くレンズフードに照明機能が付加された装置であって、照明用の電池をカメラ６の電池７と共通にしていることで本体のコンパクト化と軽量化が実現できる。以上説明の中では撮影レンズ３の電源回路を撮影レンズ３の先端溝３ｅのレンズ側接触端子１５、１６に直結する例を述べたが撮影レンズ３において、通常撮影からマクロ撮影に切り替える時、切り替えレバーに連動するスイッチを配設して、マクロ撮影の時のみ点灯させることも可能であるし、被写体の光量を測定して、白色発光ダイオードを自動的に点灯させることなども容易に考えられる。
【図面の簡単な説明】
【００２４】
【図１】本発明装置を撮影レンズ先端に装着した状態の斜視図である。
【図２】カメラ本体とその撮影レンズに装着した本発明装置の接続回路の様子を表した概略断面図と構成ブロック図である。
【図３】本発明装置と撮影レンズの接触端子を表す見取り図である。
【符号の説明】
【００２５】
１  光軸
２  対物レンズ
３  撮影レンズ
４  円筒部材
５  スイッチ
６  カメラ
７  電池
８  白色発光ダイオード
９  光線透過板
１０  配線基盤
１１  カメラ側接点
１２  カメラ側接点
１３  レンズ側接点
１４  レンズ側接点
１５  レンズ側接触端子
１６  レンズ側接触端子
１７  フード側接触端子
１８  フード側接触端子
１９  レンズＣＰＵ
２０  ドライバー
【図１】
2006292794.tif 000003
【図２】
2006292794.tif 000004
【図３】
2006292794.tif 000005